(57)【要約】【課題】従来のこの種のモ−タのロータは、ロ−タの両側面を弾性体で挟持してシャフトに固定されていた。従来の弾性体を両側面だけで挟持する構成では、ロ−タの内径部とシャフトが触れているためモ−タを駆動するとロ−タとステ−タとの間に働く電磁力によりロ−タが振動し、ロ−タの先端に取り付けられているファンに振動が伝達されて共振し、騒音を発生するという課題を有していた。【解決手段】ロ−タ２の両側面及び内径部を弾性体６で挟持し、ロータ２とシャフト８を弾性体６を挟んで固定具７により固定する構成にすることにより、ロ−タ２の先端に取り付けられているファン９に振動が伝達されにくくなり、簡易な構成で騒音を低減することができる。【選択図】図１
2006158035.tif 000002
【特許請求の範囲】
【請求項１】
ベアリングを介して回転自由に保持されたロータと、前記ベアリングを保持するハウジング部と、モールド成形により得られたステータとを有するＤＣブラシレスモータであって、前記ロ−タの両側面及び内径部を弾性体で挟持し、この弾性体を挟んで前記ロ−タとシャフトを固定具により固定したことを特徴とするＤＣブラシレスモ−タ。
【請求項２】
ロ−タの両側面及び内径部を弾性体で挟持し、前記ロ−タ内径部の弾性体の合わせ面に若干隙間を空けてロ−タとシャフトを固定したことを特徴とする請求項１に記載のＤＣブラシレスモ−タ。
【請求項３】
固定具の内径部及びシャフト外形部にネジ山を構成し、前記固定具及びシャフトのネジ部によりロ−タとシャフトを固定したことを特徴とする請求項１に記載のＤＣブラシレスモ−タ。
【請求項４】
弾性体をエラストマ−またはＥＰＤＭ材により構成した請求項１または２に記載のＤＣブラシレスモ−タ。
【請求項５】
請求項１から４のいずれか１項に記載のＤＣブラシレスモータを用いた空気調和機室外用のファンモータ。
【発明の詳細な説明】
【技術分野】
【０００１】
本発明は、ＤＣブラシレスモ−タの騒音を低減するための構造に関するものである。
【背景技術】
【０００２】
従来、この種のモ−タのロータは図５、図６に示すようにロ−タの両側面を弾性体で挟持してシャフトに固定されていた（例えば、特許文献１参照）。
【特許文献１】特開２００３−３２４８９３号公報
【発明の開示】
【発明が解決しようとする課題】
【０００３】
しかしながら、前記従来のモ−タは弾性体１０６を固定具１０７で両側面だけで挟持する構成であり、ロ−タ１０２の内径部とシャフト１０８が触れているため、モ−タを駆動するとロ−タ１０２とステ−タ１１２との間に働く電磁力によりロ−タ１０２が振動し、ロ−タ１０２の先端に取り付けられているファン１０９に振動が伝達されて共振し、騒音を発生するという課題を有していた。
【０００４】
本発明は、前記従来の課題を解決するもので、弾性体を両側面及びロ−タの内径部で挟持する構成にすることにより、ロ−タの先端に取り付けられているファンに振動が伝達されにくくなり、簡易な構成で騒音を低減することができるＤＣブラシレスモ−タを提供することを目的とする。
【課題を解決するための手段】
【０００５】
前記従来の課題を解決するために、本発明のＤＣブラシレスモ−タは、ベアリングを介して回転自由に保持されたロータと、前記ベアリングを保持するハウジング部と、モールド成形により得られたステータとを有するＤＣブラシレスモータであって、前記ロ−タの両側面及び内径部を弾性体で挟持し、弾性体を挟んで固定具によりロ−タとシャフトを固定することにより、振動を吸収し騒音を低減することができる。
【発明の効果】
【０００６】
本発明のＤＣブラシレスモ−タは、両側面及びロ−タ内径部を弾性体で挟持し、弾性体を挟んで固定具によりロ−タとシャフトを固定することにより、ロ−タとシャフトが弾性体により防振され、ロ−タの先端に取り付けられているファンに振動が伝達されにくくなり、騒音を低減することができる。
【発明を実施するための最良の形態】
【０００７】
第１の発明は、ベアリングを介して回転自由に保持されたロータと、前記ベアリングを保持するハウジング部と、モールド成形により得られたステータとを有するＤＣブラシレスモータであって、前記ロ−タの両側面及び内径部を弾性体で挟持し、弾性体を固定具によりロ−タとシャフトを固定した構造とする。ロ−タの両側面と内径部を弾性体にて固定することにより、ロ−タとシャフトが弾性体により防振され、ロ−タの先端に取り付けられているファンに振動が伝達されにくくなり騒音を低減することができる。
【０００８】
第２の発明は、ロ−タの両側面及び内径部を弾性体で挟持し、ロ−タ内径部の弾性体の合わせ面に若干隙間を空けてロ−タとシャフトを固定した構造とする。固定具により弾性体を挟持すると挟持力によりロ−タ内部の合わせ面が両方から押され潰され弾性体とロ−タ及びシャフトに隙間ができる。弾性体の合わせ面に若干の隙間を空けることによりロ−タとシャフトが挟持されて潰されることなく固定できる。
【０００９】
第３の発明は、固定具の内径部及びシャフト外形部にネジ山を構成し、前記固定具及びシャフトのネジ部によりロ−タとシャフトを固定することにより、安価な構成にてロ−タを固定することができる。
【００１０】
第４の発明は、弾性体をエラストマ−またはＥＰＤＭ材により構成することにより、より防振効果が発揮できる。
【００１１】
上記第１から第４の発明のＤＣブラシレスモ−タは空気調和機の室外機に使用されるのが好ましい。空気調和機用のファンモ−タは、常時運転する場合が多いため低騒音化が要求される。従って、上記１〜４のＤＣブラシレスモ−タを空気調和機用のファンモ−タとして使用すると本発明の効果がより顕著に発現する。
【００１２】
以下、本発明の実施の形態について、図面を参照しながら説明する。なお、この実施の形態によって本発明が限定されるものではない。
【００１３】
（実施の形態１）
図１は、本発明の実施の形態１におけるＤＣブラシレスモ−タの部分断面図、図２はロータの断面図である。
【００１４】
ベアリング１を介して回転自由に保持されたロータ２と、前記ベアリング１を保持するハウジングＡ３、Ｂ４と、モールド成形により得られたステータ５とを有するＤＣブラシレスモータであって、前記ロ−タ２を両側面及びロ−タ２の内径部を弾性体６で挟持し弾性体６を金属または樹脂にて構成された固定具７によりロ−タ２とシャフト８を固定した構造とする。固定具７によりロ−タ２の両側面とロ−タ２の内径部を弾性体６にて固定することにより、ロ−タ２とシャフト８が弾性体６により振動が吸収され、シャフト８の先端に取り付けられているファン９に振動が伝達されにくくなり、騒音を低減することができる。
【００１５】
（実施の形態２）
図３は、本発明の実施の形態２におけるロータの断面図を示す。
【００１６】
第２の発明は、前記ロ−タ２ａを両側面及びロ−タ２ａの内径部を弾性体６ａで挟持し、ロ−タ２ａ内径部の合わせ面の隙間１０ａを空けてロ−タ２ａとシャフト８ａを固定した構造とする。固定具７ａにより弾性体６ａを挟持すると挟持力によりロ−タ２ａ内部の合わせ面が両方から押され潰され弾性体６ａとロ−タ２ａ及びシャフト８ａに隙間ができてしまい不安定になる。弾性体の合わせ面に若干の隙間１０ａを空けることによりロ−タ２ａとシャフト８ａが挟持されて潰されることなく固定できる。
【００１７】
（実施の形態３）
図４は、本発明の実施の形態３におけるロータの断面図を示す。
【００１８】
固定具７ｂの内径部及びシャフト８ｂ外形部にネジ山部１１ｂを構成し、固定具７ｂ及びシャフト８ｂのネジによりロ−タ２ｂとシャフト８ｂを固定することにより、安価な構成にてロ−タ２ｂを固定することができる。また、固定具７ｂの緩み防止としてロックペンイント等にて緩み止めを行なう。
【００１９】
（実施の形態４）
実施の形態２または３において、弾性体をエラストマ−またはＥＰＤＭ材により構成することにより、より防振効果が発揮できる。
【００２０】
（実施の形態５）
上記実施の形態１〜４のＤＣブラシレスモ−タは、プロペラファンを用いた空気調和機の室外機に使用されるのが好ましい。空気調和機用のファンモ−タは、常時運転する場合が多いため低騒音化が要求される。従って、上記１〜４のＤＣブラシレスモ−タを空気調和機用のファンモ−タとして使用すると本発明の効果がより顕著に発現する。
【産業上の利用可能性】
【００２１】
以上のように、本発明にかかるＤＣブラシレスモ−タは、両側面及びロ−タ内径部を弾性体で挟持し弾性体を固定具によりロ−タとシャフトを固定することにより、ロ−タとシャフトが弾性体により防振され、ロ−タの先端に取り付けられているファンに振動が伝達されにくくなり騒音を低減することができるため、空気調和機の室外機のモ−タ以外にも、換気扇等の用途にも適用できる。
【図面の簡単な説明】
【００２２】
【図１】本発明の実施の形態１におけるＤＣブラシレスモ−タの部分断面図
【図２】本発明の実施の形態１におけるロータの断面図
【図３】本発明の実施の形態２におけるロータの端面図
【図４】本発明の実施の形態３におけるロータの断面図
【図５】従来のＤＣブラシレスモ−タの部分断面図
【図６】従来のＤＣブラシレスモ−タのロータの断面図
【符号の説明】
【００２３】
１  ベアリング
２  ロ−タ
３  ハウジングＡ
４  ハウジングＢ
５  ステ−タ
６  弾性体
７  固定具
８  シャフト
９  ファン
【図１】
2006158035.tif 000003
【図２】
2006158035.tif 000004
【図３】
2006158035.tif 000005
【図４】
2006158035.tif 000006
【図５】
2006158035.tif 000007
【図６】
2006158035.tif 000008